(57)【要約】【課題】橋梁とその周囲との間で火災を遮断できる橋梁防炎装置および橋梁防炎装置の設置方法を提供する。【解決手段】橋梁防炎装置８は、橋梁１の壁高欄４に沿って設置されたガイド機構１０と、ガイド機構１０に支持されかつ橋梁１の上面側を覆う複数の遮蔽体ユニット２０と、を有し、遮蔽体ユニット２０は橋梁１の連続方向へ相互に連結されて橋梁１に沿った遮蔽体９が形成される。遮蔽体９を形成する際には、複数の遮蔽体ユニット２０を順次ガイド機構１０の所定の搬入位置に搬入しつつ、搬入された遮蔽体ユニット２０を順次ガイド機構１０に沿って移動させ、所定の設置位置に配置された遮蔽体ユニット２０を相互に連結して遮蔽体９を形成する。【選択図】図１
2020159139.tif 000002
【特許請求の範囲】
【請求項１】
橋梁の壁高欄に沿って設置されたガイド機構と、前記ガイド機構に支持されかつ前記橋梁の上面側を覆う複数の遮蔽体ユニットと、を有し、
前記遮蔽体ユニットは前記橋梁の連続方向へ相互に連結されて前記橋梁に沿った遮蔽体が形成されることを特徴とする橋梁防炎装置。
【請求項２】
請求項１に記載された橋梁防炎装置において、
前記遮蔽体ユニットは、連結される他の前記遮蔽体ユニットと互いに重ね合わせ可能なラップ部を有することを特徴とする橋梁防炎装置。
【請求項３】
請求項２に記載された橋梁防炎装置において、
前記遮蔽体ユニットとして、外側遮蔽体ユニットと、前記外側遮蔽体ユニットの内側に収容可能な内側遮蔽体ユニットとを有することを特徴とする橋梁防炎装置。
【請求項４】
請求項１から請求項３のいずれか一項に記載された橋梁防炎装置において、
前記ガイド機構は、前記壁高欄の外側面、前記壁高欄の内側面、または前記壁高欄の上面に設置されることを特徴とする橋梁防炎装置。
【請求項５】
請求項４に記載された橋梁防炎装置において、
前記ガイド機構は、前記橋梁に沿って設置されたレールと、前記遮蔽体ユニットに設置されて前記レールでガイドされるスライダと、を有することを特徴とする橋梁防炎装置。
【請求項６】
請求項１から請求項５のいずれか一項に記載された橋梁防炎装置において、
前記遮蔽体ユニットは、前記橋梁の幅方向の中間位置で分割可能であることを特徴とする橋梁防炎装置。
【請求項７】
請求項１から請求項６のいずれか一項に記載された橋梁防炎装置において、
前記遮蔽体ユニットは、前記遮蔽体ユニットの内外を連通する開口部を有することを特徴とする橋梁防炎装置。
【請求項８】
橋梁の壁高欄に沿って設置されたガイド機構と、前記ガイド機構に支持されかつ前記橋梁の上面側を覆う複数の遮蔽体ユニットと、を有する橋梁防炎装置の設置方法であって、
前記壁高欄に沿って前記ガイド機構を設置しておき、
複数の前記遮蔽体ユニットを順次前記ガイド機構の所定の搬入位置に搬入しつつ、搬入された前記遮蔽体ユニットを順次前記ガイド機構に沿って移動させ、所定の設置位置に配置された前記遮蔽体ユニットを相互に連結して前記橋梁に沿った遮蔽体を形成することを特徴とする橋梁防炎装置の設置方法。
【発明の詳細な説明】
【技術分野】
【０００１】
本発明は、橋梁防炎装置および橋梁防炎装置の設置方法に関する。
【背景技術】
【０００２】
鉄道や高速道路などにおいては、渡河部分に橋梁が利用されるほか、連続的な高架橋も多用されている。都市部では、敷地の利用効率を高めるために、橋梁を上下に配置する例もある。
近年、橋梁での火災による被害を抑制する技術が開発されている。例えば、下段の橋梁で車両火災が生じた際に、上段の橋梁が火炎により損傷されることを防止するために、橋梁の下面から側面までを遮炎パネルで覆う構造が提案されている（特許文献１参照）。
このような特許文献１の橋梁防炎構造においては、下段の橋梁での車両火災のほか、沿線火災から橋梁を防護する効果も得られる。
【先行技術文献】
【特許文献】
【０００３】
【特許文献１】特許第５３１７３４０号公報
【発明の概要】
【発明が解決しようとする課題】
【０００４】
前述した特許文献１の橋梁防炎構造は、専ら橋梁自体の防護を目的としていた。しかし、橋梁においては、通行する車両などの防護も必要になる。例えば、沿線火災時など、橋梁に達した火炎により、橋梁を通行する車両が延焼する可能性があり、その防止が求められる。一方、橋梁を通行する車両に火災が生じた際には、沿線の建物などへの延焼を防止することが求められる。このように、橋梁とその周囲との間で火災を遮断できる防炎装置が求められていた。
なお、橋梁における防炎装置で考慮すべき点として、橋梁を通行する車両が火災を生じた際に、乗員が脱出できること、または乗員を救出できること、言いかえれば出入りを妨げないことが求められる。また、既存の橋梁に追加的に設置する場合など、通行の一時抑止状態を最小限にすることも求められる。
【０００５】
本発明の主な目的は、橋梁とその周囲との間で火災を遮断できる橋梁防炎装置および橋梁防炎装置の設置方法を提供することにある。
本発明の他の目的は、橋梁とその周囲との間で出入りを妨げない橋梁防炎装置および橋梁防炎装置の設置方法を提供することにある。
【課題を解決するための手段】
【０００６】
本発明の橋梁防炎装置は、橋梁の壁高欄に沿って設置されたガイド機構と、前記ガイド機構に支持されかつ前記橋梁の上面側を覆う複数の遮蔽体ユニットと、を有し、前記遮蔽体ユニットは前記橋梁の連続方向へ相互に連結されて前記橋梁に沿った遮蔽体が形成されることを特徴とする。
【０００７】
このような本発明では、橋梁の連続方向に配列された複数の遮蔽体ユニットにより一連の遮蔽体が形成され、長い区間にわたって橋梁の上面側を覆うことができる。遮蔽体ユニットは、橋梁の壁高欄に設置されたガイド機構で支持され、橋梁を通行する車両などを妨げない。
橋梁を通行する車両などに火災が生じた場合、遮蔽体により火炎が遮蔽され、沿線への火災拡大を防止できる。また、沿線に火災が生じた場合、遮蔽体により火炎が遮蔽され、橋梁を通行する車両などへの火災被害を防止できる。
【０００８】
さらに、本発明では、ガイド機構により、遮蔽体ユニットを橋梁に沿って移動させることができる。このため、ガイド機構の任意位置に遮蔽体ユニットを搬入し、別の位置まで移動させ、固定することで、所望の位置に設置できる。例えば、所定の搬入位置において複数の遮蔽体ユニットを順次搬入し、ガイド機構に沿って移動させて橋梁に沿って配列させることで、長尺の遮蔽体であっても効率よく組み立てることができる。とくに、搬入位置を一定とすることができ、搬入設備を同じ場所で共用でき、搬入作業を効率よく行うことができる。
【０００９】
本発明の橋梁防炎装置において、前記遮蔽体ユニットは、連結される他の前記遮蔽体ユニットと互いに重ね合わせ可能なラップ部を有することが好ましい。
このような本発明では、複数の遮蔽体ユニットを連結する際に、相互のラップ部を重ね合わせることで、内外の遮蔽性能を高めることができる。
なお、ラップ部を用いずに、例えば遮蔽体ユニットの端縁どうしを突き合わせ、接続したうえシールしてもよい。
【００１０】
本発明の橋梁防炎装置において、前記遮蔽体ユニットとして、外側遮蔽体ユニットと、前記外側遮蔽体ユニットの内側に収容可能な内側遮蔽体ユニットとを有することが好ましい。
このような本発明では、内側遮蔽体ユニットが外側遮蔽体ユニットの内側に収容可能であるため、互いに対向する端縁どうしを重ね合わせてラップ部を形成することができる。
さらに、一連の遮蔽体とされている状態から、内側遮蔽体ユニットまたは外側遮蔽体ユニットの一方を移動させることで、遮蔽体の一部を開放することができ、そこから人の出入りが可能である。例えば、橋梁上での事故の際の救助用出入口や排煙用換気口とすることができ、定期点検などの際には保守用出入口とすることができる。
また、内側遮蔽体ユニットと外側遮蔽体ユニットとを重ね合わせた状態で、一括して輸送することもでき、作業の効率化が図れる。
【００１１】
本発明の橋梁防炎装置において、前記ガイド機構は、前記壁高欄の外側面、前記壁高欄の内側面、または前記壁高欄の上面に設置されることが好ましい。
このような本発明では、橋梁に常用される壁高欄を利用してガイド機構を設置することができ、空間を有効利用することができる。このうち、ガイド機構を壁高欄の外側に設置する場合、壁高欄の内側の通行スペースを減少させることがない。ガイド機構を壁高欄の内側に設置する場合、壁高欄の外側に設備スペースが張り出すことを防止できる。ガイド機構を壁高欄の上面に設置する場合、壁高欄の内外の設備スペースを省略できる。
【００１２】
本発明の橋梁防炎装置において、前記ガイド機構は、前記橋梁に沿って設置されたレールと、前記遮蔽体ユニットに設置されて前記レールでガイドされるスライダと、を有することが好ましい。
このような本発明では、遮蔽体ユニットは、スライダを介してレールにガイドされ、橋梁に沿って移動可能である。スライダとしては、金属製のブロックを用いることができ、表面に低摩擦性のコーティング（４フッ化エチレン樹脂など）を形成することが好ましい。なお、ガイド機構としては、レールに摺動するスライダではなく、レールに転動する車輪を用いてもよい。
【００１３】
本発明の橋梁防炎装置において、前記遮蔽体ユニットは、前記橋梁の幅方向の中間位置で分割可能であることが好ましい。
このような本発明では、遮蔽体ユニットを幅方向の中間位置で分割することで小型化が可能であり、搬送を容易にできる。とくに、幅方向の中央で２分割することで各側を同じ形状とすることができ、半割りのユニットを逆向きに向かい合わせて接続することで、橋梁の全幅にわたり掛け渡される遮蔽体ユニットを形成できる。
【００１４】
本発明の橋梁防炎装置において、前記遮蔽体ユニットは、前記遮蔽体ユニットの内外を連通する開口部を有することが好ましい。
このような本発明では、開口部を保守用出入口あるいは救助用出入口や排煙用換気口として利用できる。幅方向に分割された遮蔽体ユニットを用いる場合、各側の間に開口部が残るように形成してもよい。
【００１５】
本発明の橋梁防炎装置の設置方法は、橋梁の壁高欄に沿って設置されたガイド機構と、前記ガイド機構に支持されかつ前記橋梁の上面側を覆う複数の遮蔽体ユニットと、を有する橋梁防炎装置の設置方法であって、前記壁高欄に沿って前記ガイド機構を設置しておき、複数の前記遮蔽体ユニットを順次前記ガイド機構の所定の搬入位置に搬入しつつ、搬入された前記遮蔽体ユニットを順次前記ガイド機構に沿って移動させ、所定の設置位置に配置された前記遮蔽体ユニットを相互に連結して前記橋梁に沿った遮蔽体を形成することを特徴とする。
このような本発明では、前述した本発明の橋梁防炎装置の通りの効果を得ることができる。
【発明の効果】
【００１６】
本発明によれば、橋梁とその周囲との間で火災を遮断できる橋梁防炎装置および橋梁防炎装置の設置方法を提供できる。また、橋梁とその周囲との間で出入りを妨げない橋梁防炎装置および橋梁防炎装置の設置方法とすることもできる。
【図面の簡単な説明】
【００１７】
【図１】本発明の橋梁防炎装置の一実施形態を示す斜視図。
【図２】前記実施形態の遮蔽体ユニットを示す斜視図。
【図３】前記実施形態の遮蔽体ユニットを示す断面図。
【図４】前記実施形態のガイド機構を示す断面図。
【図５】前記実施形態の設置作業を示す平面図。
【図６】本発明のガイド機構の他の実施形態を示す断面図。
【図７】本発明のガイド機構の他の実施形態を示す断面図。
【図８】本発明の橋梁防炎装置の他の実施形態を示す斜視図。
【発明を実施するための形態】
【００１８】
以下、本発明の一実施形態を図面に基づいて説明する。
図１において、橋梁１は、地盤上に高架支持されたものであり、所定間隔で配置された図示しない橋脚に掛け渡された主桁２を有する。主桁２には、コンクリート製の路面３が形成され、その両側には連続して壁高欄４が形成されている。
【００１９】
橋梁１には、壁高欄４の両外側に沿って一対のガイド機構１０が設置されている。一対のガイド機構１０には、複数の遮蔽体ユニット２０が掛け渡されている。
複数の遮蔽体ユニット２０は、それぞれ橋梁１を幅方向に跨ぐように配置され、隣接する遮蔽体ユニット２０どうしが連結されている。
連結された複数の遮蔽体ユニット２０により、橋梁１に沿って一連の遮蔽体９が形成され、橋梁１の上面側は遮蔽体９で覆われている。
これらの遮蔽体９およびガイド機構１０により、橋梁防炎装置８が構成される。
【００２０】
遮蔽体ユニット２０は、上部が寄棟状の屋根部２１とされ、その両側が垂直な壁部２２とされている。これらの屋根部２１および壁部２２は、それぞれ鋼製の骨組みに耐火性のパネルを張って形成されたものの他、全体が耐火性のパネルで形成されてもよい。
遮蔽体ユニット２０を形成するパネルは、耐火性を有するとともに、透明または透光性であることが好ましい。全体が透明または透光性である必要はなく、一部が不透明であってもよい。
【００２１】
図２に示すように、遮蔽体ユニット２０は、屋根部２１の棟部分で分割された半割のユニット２０Ｌ，２０Ｒで構成することができる。
半割のユニット２０Ｌ，２０Ｒは、それぞれ片側分の屋根部２１および壁部２２を有する。半割のユニット２０Ｌ，２０Ｒは、製造工場で製造され、橋梁１の近傍の組立て現場まで搬送されたのち、一対を対向させて結合することで遮蔽体ユニット２０とされる。
半割のユニット２０Ｌ，２０Ｒは、各々同じものを向かい合わせにしたものであってもよい。
【００２２】
図３に示すように、遮蔽体ユニット２０としては、外側遮蔽体ユニット２０Ａおよび内側遮蔽体ユニット２０Ｂが用いられている。
外側遮蔽体ユニット２０Ａは、内側遮蔽体ユニット２０Ｂよりも高さおよび幅が一回り大きく形成され、各々を同じ位置に配置した場合でも、外側遮蔽体ユニット２０Ａの内側形状と内側遮蔽体ユニット２０Ｂの外側形状とが互いに干渉することがなく、内側遮蔽体ユニット２０Ｂを外側遮蔽体ユニット２０Ａの内側に収容可能である。
【００２３】
図１に戻って、外側遮蔽体ユニット２０Ａおよび内側遮蔽体ユニット２０Ｂは、橋梁１に沿って交互に配置されている。隣接する外側遮蔽体ユニット２０Ａおよび内側遮蔽体ユニット２０Ｂの互いに対向する辺縁では、各々の外側のラップ部２３Ａおよび内側のラップ部２３Ｂが互いに重ね合わせられた状態とされている。
外側のラップ部２３Ａの内面と内側のラップ部２３Ｂの外面との隙間には、耐火性のシール材などが充填される。
【００２４】
遮蔽体ユニット２０には、棟部分に開口部２４が形成されている。
開口部２４としては、屋根部２１に開けられた開口が用いられるほか、半割のユニット２０Ｌ，２０Ｒ（図２参照）を組立てる際に、屋根部２１の棟部どうしの間隔を残したものとしてもよい（図１参照）。
開口部２４としては、人が出入りできる程度の大きさを有することが好ましい。開口部２４には、適宜ドアを設けて通常は閉じられていてもよい。開口部２４のドアを透明パネルとしてもよい。
このような開口部２４は、遮蔽体ユニット２０が複数連結されることで、遮蔽体９とされた際には橋梁１の連続方向に所定間隔で配列されることになる。
【００２５】
ガイド機構１０は、壁高欄４の外側面に沿ってガイドウェイ１１を有する。
図４において、ガイドウェイ１１は、断面Ｌ型の鋼製部材またはコンクリート製部材で形成され、壁高欄４の底面に固定されかつ壁高欄４の外側面に沿って立ち上がっている。
ガイドウェイ１１の底部上面には凹溝状のレール１２（１２Ａ，１２Ｂ）が設置されている。本実施形態では、断面Ｅ字状の部材を用いることで、レール１２Ａ，１２Ｂが一体に形成されている。
レール１２Ａ，１２Ｂは、それぞれ橋梁１に沿って連続しており、橋梁１の両側のレール１２Ａどうしの軌間およびレール１２Ｂどうしの軌間は、長手方向のどの部位でも互いに一定とされている。
【００２６】
遮蔽体ユニット２０（外側遮蔽体ユニット２０Ａおよび内側遮蔽体ユニット２０Ｂ）の壁部２２の下縁には、それぞれ複数のスライダ１３が設置されている（図３参照）。
このうち、外側遮蔽体ユニット２０Ａの壁部２２の下縁のスライダ１３は、外側のレール１２Ａを走行可能である。また、内側遮蔽体ユニット２０Ｂの壁部２２の下縁のスライダ１３は、内側のレール１２Ｂを走行可能である。
これらのスライダ１３、レール１２およびガイドウェイ１１により、ガイド機構１０が構成されている。
【００２７】
このようなガイド機構１０により、遮蔽体ユニット２０（外側遮蔽体ユニット２０Ａおよび内側遮蔽体ユニット２０Ｂ）は橋梁１に沿って移動可能とされている。
すなわち、外側遮蔽体ユニット２０Ａは外側のレール１２Ａに沿って移動可能であり、内側遮蔽体ユニット２０Ｂは内側のレール１２Ｂに沿って移動可能である。そして、レール１２Ａ，１２Ｂが分離されているため、内側遮蔽体ユニット２０Ｂはレール１２Ｂ上を移動することで、レール１２Ａで支持される外側遮蔽体ユニット２０Ａの内側を通り抜けることも可能である。
【００２８】
本実施形態の橋梁防炎装置８は、次のような設置手順で設置することができる。
図５において、橋梁１に沿った所定位置に搬入位置３１を設定する。搬入位置３１は、橋梁１の橋梁防炎装置８の設置範囲内であって、周囲に組立て現場３２が確保できる位置が好ましい。
組立て現場３２には、工場生産された半割のユニット２０Ｌ，２０Ｒをトラックなどで搬入する荷揚げスペースを確保しておく。組立て現場３２では、搬入されたユニット２０Ｌ，２０Ｒを順次組立てて遮蔽体ユニット２０（外側遮蔽体ユニット２０Ａおよび内側遮蔽体ユニット２０Ｂ）とする作業を行う。さらに、組み立てた遮蔽体ユニット２０を吊り上げ、橋梁１に設置されたガイド機構１０に載せ替えるためのクレーン３３などが設置される。
【００２９】
組立て現場３２の設営と並行して、橋梁１の橋梁防炎装置８が設置される範囲にわたって、壁高欄４に沿ってガイド機構１０を設置してゆく。すなわち、橋梁１にガイドウェイ１１を取り付け、レール１２Ａ，１２Ｂを設置して連続させてゆく。
橋梁防炎装置８の設置範囲にガイド機構１０が設置できたら、組立て現場３２で組み立てられた遮蔽体ユニット２０（外側遮蔽体ユニット２０Ａおよび内側遮蔽体ユニット２０Ｂ）を、順次ガイド機構１０の搬入位置３１に搬入してゆく。搬入時には、外側遮蔽体ユニット２０Ａおよび内側遮蔽体ユニット２０Ｂが交互に搬送される。
【００３０】
搬入位置３１に搬入された遮蔽体ユニット２０は、両側のスライダ１３がそれぞれレール１２上を走行できる状態で設置される。この際、外側遮蔽体ユニット２０Ａでは外側のレール１２Ａ上に、内側遮蔽体ユニット２０Ｂでは内側のレール１２Ｂ上に設置される。
レール１２上を走行可能な状態になったら、ワイヤなどを介してウインチなどで駆動することで、遮蔽体ユニット２０を橋梁１のガイド機構１０に沿って移動させる。
ガイド機構１０においては，最初に搬入された遮蔽体ユニット２０が、設置位置３４の奥側（図５右側）から順に配置され、続いて搬入される遮蔽体ユニット２０は、既に設置位置３４に設置されている遮蔽体ユニット２０との連結位置まで移動され、橋梁１またはガイド機構１０に対して固定される。
【００３１】
連結される遮蔽体ユニット２０は、先に設置されていた遮蔽体ユニット２０と、互いのラップ部２３Ａ，２３Ｂが重なり合った状態で固定される。遮蔽体ユニット２０は、外側遮蔽体ユニット２０Ａ（一回り大きい）および内側遮蔽体ユニット２０Ｂ（外側遮蔽体ユニット２０Ａの内側に収容可能）が交互に搬入され、隣接するものどうし入れ子状態とすることができ、各々のラップ部２３Ａ，２３Ｂが所定奥行きで重なり合った状態にしたうえで固定すればよい。
このような外側遮蔽体ユニット２０Ａおよび内側遮蔽体ユニット２０Ｂを、交互に連結してゆくことで橋梁１に沿って一連の遮蔽体９が形成され、橋梁１の上面側を覆う橋梁防炎装置８が形成される。
【００３２】
以上のような本実施形態によれば、次のような効果が得られる。
本実施形態では、橋梁１の連続方向に配列された複数の遮蔽体ユニット２０（外側遮蔽体ユニット２０Ａおよび内側遮蔽体ユニット２０Ｂ）により一連の遮蔽体９が形成され、長い区間にわたって橋梁１の上面側を覆うことができる。遮蔽体ユニット２０は、橋梁１の壁高欄４に設置されたガイド機構１０で支持され、橋梁１を通行する車両などを妨げない。
橋梁１を通行する車両などに火災が生じた場合、遮蔽体９により火炎が遮蔽され、沿線への火災拡大を防止できる。また、橋梁１の沿線に火災が生じた場合、遮蔽体９により火炎が遮蔽され、橋梁１を通行する車両などへの火災被害を防止できる。
【００３３】
本実施形態では、ガイド機構１０により、遮蔽体ユニット２０を橋梁１に沿って移動させることができる。このため、ガイド機構１０の任意位置に遮蔽体ユニット２０を搬入し、別の位置まで移動させ、固定することで、所望の位置に設置できる。例えば、所定の搬入位置３１（図５参照）において複数の遮蔽体ユニット２０を順次搬入し、ガイド機構１０に沿って移動させ、橋梁１に沿って配列させることで、長尺の遮蔽体９であっても効率よく組み立てることができる。とくに、搬入位置３１を橋梁１の一定位置とすることができ、クレーン３３などの搬入設備を同じ場所（組立て現場３２）で共用でき、搬入作業を効率よく行うことができる。
【００３４】
本実施形態では、複数の遮蔽体ユニット２０として外側遮蔽体ユニット２０Ａ（一回り大きい）および内側遮蔽体ユニット２０Ｂ（外側遮蔽体ユニット２０Ａの内側に収容可能）を用い、連結する際に相互のラップ部２３Ａ，２３Ｂを重ね合わせることで、遮蔽体９としての内外の遮蔽性能を高めることができる。
【００３５】
本実施形態では、内側遮蔽体ユニット２０Ｂが、外側遮蔽体ユニット２０Ａ（一回り大きい）の内側に収容可能であるため、互いに対向する端縁どうしを重ね合わせてラップ部２３Ａ，２３Ｂを形成することができる。
さらに、一連の遮蔽体９とされている状態から、内側遮蔽体ユニット２０Ｂまたは外側遮蔽体ユニット２０Ａの一方を、固定を外してガイド機構１０に沿って移動させることで、遮蔽体９の一部を開放し、内外を連通させることができ、そこから人の出入りが可能である。例えば、橋梁１上での事故の際の救助用出入口や排煙用換気口とすることができ、定期点検などの際には保守用出入口とすることができる。
また、内側遮蔽体ユニット２０Ｂと外側遮蔽体ユニット２０Ａとを重ね合わせた状態で、一括して輸送することもでき、作業の効率化が図れる。
【００３６】
本実施形態では、ガイド機構１０は、橋梁１の壁高欄４の外側面に設置していた。このため、橋梁１に常用される壁高欄４を利用してガイド機構１０を設置することができ、空間を有効利用することができる。とくに、ガイド機構１０を壁高欄４の外側に設置したので、壁高欄４の内側の通行スペースを減少させることがない。
【００３７】
本実施形態では、ガイド機構１０に橋梁１に沿って設置されたレール１２（１２Ａ，１２Ｂ）と、遮蔽体ユニット２０に設置されてレール１２でガイドされるスライダ１３と、を用いた。このため、遮蔽体ユニット２０は、スライダ１３でレール１２を走行することができ、円滑な移動が可能である。
さらに、本実施形態では、外側遮蔽体ユニット２０Ａおよび内側遮蔽体ユニット２０Ｂに応じた外側のレール１２Ａおよび内側のレール１２Ｂを用いたので、内側遮蔽体ユニット２０Ｂが外側遮蔽体ユニット２０Ａの内側を通り抜けること、あるいは外側遮蔽体ユニット２０Ａが内側遮蔽体ユニット２０Ｂの外側を通り抜けることが支障なく行え、搬入時の作業の自由度を高めること、あるいは非常時の遮蔽体９の開放の範囲の拡大にも有効である。
【００３８】
本実施形態では、遮蔽体ユニット２０（２０Ａ，２０Ｂ）は、屋根部２１の棟部分で分割された半割のユニット２０Ｌ，２０Ｒ（橋梁１の幅方向の中間位置で分割されたもの）を組み立てて構成されるものとした。
このような遮蔽体ユニット２０では、逆向きに向かい合わせて接続することで遮蔽体ユニット２０となる半割のユニット２０Ｌ，２０Ｒを用いたので、搬送時に小型化が可能であり、搬送を容易にできる。そして、逆向きに向かい合わせて接続することで遮蔽体ユニット２０を簡単に組み立てることができる。
このようなユニット２０Ｌ，２０Ｒは、同じ形状とすることができ、２種類を製造するのではなく、一方のみを共用化することができる。
【００３９】
本実施形態では、遮蔽体ユニット２０に、遮蔽体ユニット２０の内外を連通する開口部２４を形成したため、この開口部２４を保守用出入口あるいは救助用出入口や排煙用換気口として利用できる。とくに、半割のユニット２０Ｌ，２０Ｒを用い、各々の屋根部２１の棟部どうしの間隔を残すことで開口部２４を容易に形成できる。
【００４０】
なお、本発明は前述した実施形態に限定されるものではなく、本発明の目的を達成できる範囲での変形などは本発明に含まれる。
ガイド機構１０は、前述した壁高欄４の外側面に設置されるもの（図４参照）に限らず、壁高欄４の内側面または上面に構成してもよい。
【００４１】
図６において、ガイド機構１０Ｃは、橋梁１の壁高欄４の内側にレール１２Ｃを有する。遮蔽体ユニット２０は、壁部２２の内側に壁高欄４をまたぐ支持部２２Ｃを有し、その下縁にスライダ１３が設置されている。
このようなガイド機構１０Ｃにおいても、スライダ１３がレール１２Ｃでガイドされ、遮蔽体ユニット２０が橋梁１に沿って移動できる。そして、ガイド機構１０Ｃが壁高欄４の内側に設置されるため、壁高欄４の外側への設備スペースの張り出しを防止できる。
【００４２】
図７において、ガイド機構１０Ｄは、橋梁１の壁高欄４の上面にレール１２Ｄを有する。遮蔽体ユニット２０は、壁部２２の内側に張り出す支持部２２Ｄを有し、その下面にスライダ１３が設置されている。
このようなガイド機構１０Ｄにおいても、スライダ１３がレール１２Ｄでガイドされ、遮蔽体ユニット２０が橋梁１に沿って移動できる。そして、ガイド機構１０Ｄが壁高欄４の上面に設置されるため、壁高欄４の内外の設備スペースを省略できる。
【００４３】
遮蔽体ユニット２０は、半割のユニット２０Ｌ，２０Ｒで組み立てられるものに限らず、橋梁１の幅方向に一連のものであってもよい。また、遮蔽体ユニット２０の屋根部２１は平面に限らず、曲面その他としてもよい。
図８において、遮蔽体ユニット２０Ｅは、円筒状の屋根部２１Ｅと、その両側の壁部２２Ｅとで形成されている。このような遮蔽体ユニット２０Ｅを順次連結することで、図１の実施形態と同様な一連の遮蔽体９を形成することができる。
【００４４】
前述した図１の遮蔽体ユニット２０では、半割のユニット２０Ｌ，２０Ｒの間に隙間を空けて開口部２４を形成したが、図８の遮蔽体ユニット２０Ｅのように、別途開口を形成して開口部２４Ｅとしてもよい。
前述した図１の遮蔽体ユニット２０では、遮蔽体ユニット２０Ｅの隣接する部分にラップ部２３Ａ，２３Ｂを形成して一部を重ね合わせたが、図８の遮蔽体ユニット２０Ｅのように、各々の対向端縁を突き合わせてシールする構造としてもよい。一方、図８の遮蔽体ユニット２０Ｅにおいて、端縁に沿って段差を形成することで、同じ形状（つまり外側遮蔽体ユニット２０Ａおよび内側遮蔽体ユニット２０Ｂのような２種類を準備しない）でありながら、互いの辺縁にラップ部を形成することもできる。
【００４５】
前述した実施形態では、橋梁１が路面３を有する自動車用としたが、線路が設置された鉄道用であってもよい。また、遮蔽体９の設置は橋梁１の直線状部分に限らず、曲線状部分であってもよい。橋梁１の曲線状の部分であっても、ガイド機構１０が橋梁１に沿って曲線状となることで、遮蔽体ユニット２０等を適切にガイドすることができる。
【産業上の利用可能性】
【００４６】
本発明は、橋梁防炎装置および橋梁防炎装置の設置方法として利用できる。
【符号の説明】
【００４７】
１…橋梁、２…主桁、３…路面、４…壁高欄、８…橋梁防炎装置、９…遮蔽体、１０，１０Ｃ，１０Ｄ…ガイド機構、１１…ガイドウェイ、１２，１２Ａ，１２Ｂ，１２Ｃ，１２Ｄ…レール、１３…スライダ、２０，２０Ｅ…遮蔽体ユニット、２０Ａ…外側遮蔽体ユニット、２０Ｂ…内側遮蔽体ユニット、２０Ｌ，２０Ｒ…半割のユニット、２１，２１Ｅ…屋根部、２２，２２Ｅ…壁部、２２Ｃ，２２Ｄ…支持部、２３Ａ，２３Ｂ…ラップ部、２４，２４Ｅ…開口部、３１…搬入位置、３２…組立て現場、３３…クレーン、３４…設置位置。
【図１】
2020159139.tif 000003
【図２】
2020159139.tif 000004
【図３】
2020159139.tif 000005
【図４】
2020159139.tif 000006
【図５】
2020159139.tif 000007
【図６】
2020159139.tif 000008
【図７】
2020159139.tif 000009
【図８】
2020159139.tif 000010